(57)【要約】      （修正有）【課題】ビニールやゴム製手袋を簡便に早く乾燥する方法及び装置の提供。【解決手段】指先部まで空気が届くように指部の支持柱をパイプ構造とし、該支持柱パイプ３と指部内面間には該支持柱パイプ３の外壁と指部内面とが接触して空気流れの抵抗とならないように空間が保持される角状のコイル７を配備して、空気が濡れた手袋の内面を伝うことなく支持柱パイプ３内より指先先端に到達し、反転して支持柱パイプ７の外周と指部内面を経して戻るべく乾燥用空気回路を形成し、指部以外の掌や袖口部もリング枠部５によって空間を充分に保持し、更に自然の空気流れを利用する手段として吊り下げ装置の下部に空気流れを捕捉し上部の袖口部に空気流れを転向する為の風見鶏装置を具備する。【選択図】図１
2010094474.tif 000002
【特許請求の範囲】
【請求項１】
ゴムや樹脂手袋類の指部など通気性が悪く乾燥の困難な物の内部を乾燥させる手段として、狭い指部内に空気の流動回路を形成すべく、各指部を支持する支柱をパイプ構造としパイプ外側に指部内面が接着しないようにコイル状に形成した角型等の線材骨組みを配備することにより指袋部内面とパイプ間に空間を保持する事とし、線材外側の小接触作用による空間保持作用によって支持柱パイプより指部先端に達する空気の流れを反転させ、パイプ外側の線材曲げ形状によって形成した空間を経して下方まで空気の流れ場を造るための回路を作り狭い袋状先端部の水分や湿気を空気の流動作用に伴って排除し乾燥の目的と乾燥物品の着脱を容易とした支持柱のパイプ構造と異形コイル線材による乾燥空気回路の形成方法。
【請求項２】
請求項１記載の内部乾燥用具において、通常の円形バネを熱処理とプレス加工によって角型や異形に形成して筒状柔軟体の内部空間を保持し得る骨組み部を整形することや、予め柔軟鉄線を角体のコイル状に形成した後に熱処理によって強度を高めて筒状内面に空間を保持する骨組み部とし、異形によって内面との接触部分を減ずると共に通気空間を確保し摩擦抵抗を減ずる事で利用時の着脱を容易とした異形角型線材の製造と筒状内部の拡張支持方法。
【請求項３】
手袋指先部などの内部を乾燥する手段として先ず指先部を最上部に位置付けすべく、手袋の袖口より手袋全体を支持する支柱の角度を水平線にたいし３５度の角度で支持するのが内部の水切りや乾燥に有効なことから手袋の支持柱を吊り下げ用の主柱に５５度として取り付けその反対部に片方の手袋を同ように位置付けすべく同じ支持柱を設ける構造とし、複数の支持柱を吊架用の主柱によって支持する事を可能とし、この吊架用主柱の下部に空気の流れ場において空気流れを捕捉し上方向に転向せしめる為の羽根部を有する風見鶏装置を取り付けることとし屋外や軒下など空気流動の場においては空気流れを上部に位置付けした手袋などの開放された袖口部に空気流れを誘導供給する役割を果たし自然乾燥の目的を速めうる手袋類の乾燥装置。
【請求項４】
自然乾燥の困難な内面に布地を有するゴム手袋などの指部先端の自然乾燥条件を高める手段として、各指部を縦状に支持する柱をパイプ構造とし掌部と指先の両端を開放して空気の流れ回路を形成する事とし支持柱パイプの断面積を指先部より下方を広げて指先部の空気流動による乾燥条件を高めた請求項１．２．３記載の乾燥装置
【請求項５】
手袋内部の乾燥を目的とする骨組みやこれを支持する金具部との接触による内部の傷や防錆を防ぐと共に物品の着脱に有利な滑り作用を向上せしめる手段として、内部骨組み部や線材部に樹脂による皮膜の形成を施行した前記請求項１．２．３．４記載の自然乾燥装置。
【発明の詳細な説明】
【発明の詳細な説明】
【技術分野】
【０００１】本発明は手袋類の指部内面布などの自然乾燥を促進する方法やその装置に関する。
【背景技術】
【０００２】  従来炊事・洗濯・園芸・農作業などで使用した後の柔軟性に富んだゴムや合成樹脂製手袋を洗濯して内部や布部を乾かそうとしても内部は相互に付着しやすく洗濯ハサミで各指を挟んでも洗濯干し器に吊下げても５本の指部に棒を挿入しても手袋内面は棒と内面同士が付着し水切りや風通しが悪く乾燥の目的を達成するには手間を掛けて製品を裏返すか電化製品の送風等により乾燥させる等その目的を簡便に達することは困難とされていた。
【発明が解決しようとする課題】
【０００３】  この課題は通気性が悪く防水性を有する樹脂系合成素材やゴムで作られたものは通気性が悪く、内面相互が密着し易すく通気が妨げられるので自然乾燥が特に困難であつた。
【０００４】  本発明は手袋類の指部など特に通気性が悪い部分の通気性を改善し電動機具などによる送風手段を用いる事なくエコ的に自然の通気条件を向上改善することによって空気による乾燥の目的を達成し得る方法と装置を提供することを目的としている。
【課題を解決するための手段】
【０００５】上記目的を達成する手段として第１の発明は狭い指部の内部に通気性を保持し得る通気空間の形成を可能としたことにある。従来の乾燥方法では狭い指部内は指を支持する支持部と指部内面や内面相互の密着が避け難く加えて通気の条件も悪くなる事から強制的送風以外では乾燥の無理な事が知られている。然しながら省エネ・環境保全の重要視される現状においては可能な限り自然の大気や空気の乾燥効果を利用した方法で課題の解決を図るべきである。
【０００６】  その為には先ず指先部など狭い部分でも内面が相互や支持部と密着することのない支持方法や内部を広げ得る中子的骨組み方法を見出す事が先決となる。本発明ではこの問題を解決する為に小線形で袋内面との接触条件を限界的に減じ空気流れ場を最大に維持しうる支持骨組みの形成方法を開発した。この方法と自然空気流れの利用によれば簡便に合理的に困難とされているゴム手袋内の乾燥が実現される。
【０００７】  ２番目の発明は指先部水切りの点から上部に指を位置付けする常識的な自然乾燥方法では指先部などを空気流動による熱交換作用の低下する事から、指先部先端に空気が供給されるように上向きの各指支持柱をパイプ構造とし、更に内部の空間を広げ空気の流動を促進する為の線材骨組み部の形成手段をコイル状線材を熱処理やプレス加工によって角状や異形に構成し骨組み線材と乾燥すべき内壁との接触と摩擦条件を減じた角型や任意の形状に形成する事により袋状指部の乾燥に必要な空気の流動条件を加工線材と支持柱のパイプ構造により空間の形成と空気回路の構成によって高めたことにある。
【０００８】３番目の発明は１・２番の自然空気利用の乾燥方法において上向きに支持されている手袋の指部まで乾燥に必要な空気を積極的に供給する手段として各手袋の袖口部に空気流れを転向する手段として吊り下げた主支持柱の下部に空気の流れを捕捉し流れ方向を上部の袖口方向に転向するための羽部を有する風見鳥装置を配備したことにある。
【０００９】４番目の発明は特に乾燥条件の悪い指先部の乾燥条件を改善する手段として各指部を支持する支持柱をパイプ構造とし指先部の空気流動条件を高めたことにある。
【００１０】５番目の発明は種々の異なる線形の加工で作られた中子骨組みを防錆や着脱に必要な滑り作用を得るために骨組み中子などの全体を加熱溶融樹脂液中に吊り下げて装置全体に滑り防錆処理を施した樹脂皮膜方式にある。
【００１１】
【特許文献】特開２０００−１４９９０  特開平８−１４０８１４  特開平１０−２２５６００  特開２００１−１９０８９９  実案第３０９８８５８  実案第３０７６４２０  実開平６−６２９９１  実案第３０１２２６４
【発明を実施するための最良の形態】
【００１２】  以下本発明になる手袋の干し装置と方法を図を参照して説明する。一般の常識として防水加工された手袋を作業後に洗浄し乾燥するには内面を反転して乾燥するか、指先部を上にして水切りを十分に行いその後に空気の噴射によって水分の除去を行う事が必要であるがこの作業には手間ひまがかかり貴重な時間が浪費されることになる。手指を保護し清潔を保つ為の手袋の衛生を維持するには指先部に湿度によるカビやばい菌が繁殖しないよう乾燥した条件を保っことが必要なのである。【００１３】  本発明は使用後の手袋内部を洗剤で洗い本乾燥具にセットするだけで大気・空気の動きと熱交換作用によって弛まなく乾燥作用が進行し使用者の睡眠中にも乾燥作用が効率よく行われるように手袋指部に乾燥用の空気が供給されるように図１に示す如くに指部内を広げ得る骨組み構造とし最も乾き難い先端部えの空気供給を指部支持パイプ構造によって行っている。狭くて内面相互や支持部との密着や接触で乾燥に必要な空気の流通条件を高める手段としての骨組み部は図で示す如くに細線のバネコイルを熱処理とプレス加工する事や角状のコイルを焼き入れによって強化し手袋内面との接触や摩擦の条件を減じ乾燥に有利な空間条件の構成を支持パイプと骨組み線材とにより目的を達している。【００１４】  さらに自然の空気流動の利用による乾燥の目的を主とする上記構成の手袋干し用具には空気の動きを積極的に利用し乾燥すべき部分に空気流れを誘導する手段として吊り下げ状の支持主柱の下部に図２の如く空気流れを捕捉しその方向を上部の手袋袖口に向かい流れを変えるべく羽形状とした風見鶏を配備し乾燥に必要な空気の利用率を高めている。従ってこの用具や装置を風通しの良い軒先などに吊り下げれば乾燥の目的は更に高まることになる。【００１５】また図２に示す如くに複数の手袋でも一対を対照的に位置付けする事によれば復対の軍手や洗濯物の乾燥にも有効に使える。
【発明の効果】
【００１６】以上説明したように本発明になる手袋用乾燥装置とその方法はあくまでも省エネ省力化に徹し自然な空気の動きを利用した自然乾燥方式であり簡便で合理的な構造は製品として安価に市場に提供され多くの手袋利用者の清潔・衛生の期待に応える効果を有する。
【図面の簡単な説明】
【図１】この発明になる防水防寒用手袋の乾燥装置と内部の骨組み等の一実施例を示す透視図である。
【図２】この発明装置の風を利用するための風見鶏を主柱の下部に位置付けた説明図である。
【符号の説明】
１    主支柱の吊り下げ部
２    各手袋支持柱Ａ・Ｂ・Ｃ・Ｄ
３    各支持柱のパイプ部
４    各指部を支持するパイプ柱を支持する環状部
５    掌部に空間部を形成する楕円リング部Ｅ・Ｆ
６    袖口部を開くリング枠Ｇ１Ｇ２
７    指部に空間を形成する角型変形コイル
８    ゴムなどの防水性外皮部
９    防寒防熱用などの布や繊維層
１０  空気流れを上部に偏向する羽部
１１  空気の流れ方向に向く風見鶏
【図１】
2010094474.tif 000003
【図２】
2010094474.tif 000004